(57)【要約】      （修正有）【課題】主に浴衣の着用時に帯の結び目に装着する花の形を模した装飾体であって、着装者が花弁の開度を手動で調節することにより、花の形を蕾から満開状態へと任意に変化させることを可能とする花弁状装飾体を提供する。【解決手段】帯状生地１０を帯体の長軸に沿って捻転させつつ軸線方向からみて円形を成すように連続的に重ね合わせつつ螺旋状に畳み込み、形成された重畳部を円形中心で貫通する係止体１４により係止してなり、重畳部を形成する帯状生地１０を該係止点を中心として自在に捻転可能に構成する。【選択図】図６
0003159419.tif 000002
【実用新案登録請求の範囲】
【請求項１】
帯状生地を、帯体の長軸に沿って捻転させつつ軸線断面を中心に軸線方向から見て円形を成すように連続的に重ね合わせつつ螺旋状に畳み込み、形成された重畳部を円形中心で貫通する係止体により係止してなり、重畳部を構成する帯状生地を係止点を中心として自在に捻転可能とすることを特徴とする花弁状装飾体。
【請求項２】
前記帯状生地を複数枚重ね合わせて用いることを特徴とする請求項１に記載の花弁状装飾体。
【請求項３】
前記帯状生地は、表面又は／及び縁部に発光体を有することを特徴とする請求項１又は２のいずれかに記載の花弁状装飾体。
【請求項４】
きものの帯の着装時に腰部に形成される帯の結び目に固定するための固定部材を有する請求項１乃至３のいずれかに記載の花弁状装飾体。
【考案の詳細な説明】
【技術分野】
【０００１】
本考案は、きもの用の帯、特に浴衣や簡単な街着に用いる帯に好適な花弁形状の付加的装飾体に係り、和服の着装時に着装者の腰部に形成される帯の結び目上に装着することにより着姿に華やかさを添えるものであり、ワンタッチで自在に着脱して取り換え可能であるだけでなく、その形状、特に花弁のデザインの大きさを装着者が簡単に変化させることができるため、多様なバリエーションを楽しめ、着こなしの幅を広げることができるものである。
【背景技術】
【０００２】
きものの装いにおいて帯は不可欠な要素であり、きものとのデザインや色柄のコーディネイトは特に重要である。また、帯の結び方も太鼓結び、文庫結び、しだれ文庫結び、蝶結びなど多様である。
【０００３】
ライフスタイルの変化や、きものは着装に一定の技術や慣れが必要なことから、日本女性の間で「きもの離れ」の傾向が顕著になって久しいが、近年は若年女性を中心に浴衣や簡単な街着などを気軽に楽しむスタイルも定着してきている。その際、やはり帯が着こなしの重要なポイントとなるが、帯自体を豪華なものとすると浴衣や街着とのバランスが不適切となる。そのため、比較的シンプルな帯でもその結び方を工夫したり、様々な帯飾り等を用いてワンポイントのお洒落を楽しむことが行われているが、特に若年女性においては、やはり「人より目立ちたい」「可愛らしさを演出したい」「ＴＰＯや気分にあわせて変化をつけたい」等の欲求が高く、帯飾りにも斬新なデザインやアイデアが求められている。
【０００４】
衣服に用いる付加的装飾品としては貴金属等のアクセサリーが代表的であるが、そのほ
かに主に花の形をあしらったコサージュ等も多く用いられている。きものの場合、いわゆる「帯飾り」が伝統的に用いられているが、これらは基本的に身体の正面側で帯に挟み込む形で保持して使用するものが多く、また、コサージュ等の立体物は嵩張るためにデザイン的にも利便性的にも適切でなく、きものでは余り用いられていない。
【０００５】
一方、きものの場合、背中側ではいわゆる「付け帯」が知られているが、その多くは帯結びの困難性を解決するべく、本来は身体の正面（腹側）で飾り結びを形成した後に背中側に回す代わりに、あらかじめ形成された飾り結びを帯の胴帯の背中側に「後付け」することで簡易化を図ったものである。代表的なものとしては、特許文献１に示すような胴帯部分と太鼓部分を別々のパーツとし、太鼓部分を予め様々な飾り結びに形成しておき、それを保持部材を用いて胴帯の背中側に取り付けるものが知られている。
【特許文献１】特開２００２−２６６１４３号公開特許公報
【０００６】
しかし、かかる先行技術は、飾り結びのデザインの自由度が高いものの、それなりに構造は複雑となって部品点数も多く、コストも高くならざるを得ない。着脱可能ではあっても、外出先で気軽に取り外すことは想定しておらず、消費者が保有する既存の帯との併用もできない。また、飾り結びに変化をつけたい場合には一定の手間を要するため、浴衣のようなカジュアルなきものにはやや大仰であり、手持ちの帯を生かして手間を掛けずにちょっとした変化を気軽に楽しみたいという若年女性のニーズには必ずしも適応したものとはいえない。
【０００７】
また、浴衣に限らず、きものは洋装以上に後ろ姿が重要視されるが、特に若年女性の場合、帯の結び目付近に花をあしらったコサージュ的な付加装飾を施すことは、若々しさや華やかさの演出において有効な手段といえる。しかし、従来のコサージュは身体前面への装着や髪飾りとしての利用を前提としているため比較的小振りなものが一般的で、その大きさや形状も通常は固定的なものであるから、浴衣を着用する若年層が期待する後ろ姿の演出においてはインパクト不足であり、身長や体型、浴衣や帯のデザインや色柄に応じて自分好みにオリジナルな変化を付けて楽しむには必ずしも適切なものではなかった。
【考案の開示】
【考案が解決しようとする課題】
【０００８】
上述の通り、浴衣や簡単な街着といったカジュアルなきものの後ろ姿の演出には、従来のいわゆる「付け帯」ではなお簡便性が不十分でありコストも高いという問題点があり、一方、付加的装飾物としてのコサージュは、帯結びの演出としては見た目のインパクトが不足し、着装者の好みや体型等に応じてそのデザインを変化させることが困難であるといった点で必ずしも適切なものとはいえなかった。そのため、正式なきものは敬遠するが、カジュアルなファッションのひとつとして浴衣や簡単な街着を気軽に楽しみたい、そして、なるべく手間やコストを掛けずにオリジナリティのある華やいだ演出で目立ちたい、という若年女性の欲求に適応する、きもの帯に係る新たな発想による装飾品の提案が求められている。
【０００９】
本考案は、このような事情を鑑みてなされたもので、きもの着装時の後ろ姿の演出に好適であり、主に浴衣や簡単な街着の着装者の腰部に形成される帯の結び目上に装着することにより着姿に華やかさを添え、ワンタッチで自在に着脱して取り換え可能であるだけでなく、その形状、特に花弁のデザインの大きさを装着者が簡単に変化させることができるため、きものや帯に不慣れな若年女性でも気軽に装着して若々しさや可愛らしさを強調して演出できるインパクトのある付加的装飾物を提供することを目的とするものである。
【課題を解決するための手段】
【００１０】
上記目的を達成するために、本出願の請求項１に記載の考案は、帯状生地を、帯体の長軸に沿って捻転させつつ軸線断面を中心に軸線方向から見て円形を成すように連続的に重ね合わせつつ螺旋状に畳み込み、形成された重畳部を円形中心で貫通する係止体により係止してなり、重畳部を構成する帯状生地を係止点を中心として自在に捻転可能とすることを特徴とする。
【００１１】
請求項１に記載の花弁状装飾体では、主要な部材としては完成時に花弁を形成する適切な長さの帯状生地と、該帯状生地を螺旋状に畳み込んで形成した重畳部の中心を貫通して係止する係止体の２つのみであり、その構造は極めて簡易なだけでなく、複雑な機構や高価な部品、部材を用いないため低コストで容易に製造することができる。
【００１２】
また、螺旋状に畳み込んだ帯状生地は前記係止体により１点の係止点のみで係止されており、重なり合った帯状生地は係止点を中心に帯体の長軸に対して左右いずれの方向にも自在に回転させることができる。そのため、製造時の螺旋状の畳み込み工程で捻転させた方向に帯状生地を回転させることにより、帯状生地の厚みが許容する限度の範囲内で重畳部の生地が絞り込まれて略円筒状に立ちあがるため、結果的に花弁状装飾体の花弁部分がすぼまって花の形が「蕾」の形状へと変化する。一方、逆の方向に回転させた場合は、反対に重畳部の生地が解かれて拡がり、結果的に花弁部分が開いて花が「満開」した形状へと変化する。かかる花弁の開閉操作は指先で花弁の中心部分の生地をつまんで、花弁の開度が好みのものになるまでいずれかの方向に捻る動作を単純に繰り返すだけであるので、誰でも容易に行うことができる。
【００１３】
本考案の主要部材として用いる帯状生地の大きさは、形成したい花弁状装飾体の大きさや、花弁状装飾体を形成した上で意図的に帯状生地を余らせて花弁の「葉」に相当するデザインを形成するか否かにより任意であるが、平均的な体格の日本人女性がきものと帯を着装し、帯の結び目に取り付けた花弁状装飾体の大きさを最大時（満開時）に腰から上の背中の大部分を覆ってなお十分に立体的な意匠を形成し、前述の「葉」をも形成し得る程度とする場合、全長は３メートル５０センチから３メートル８０センチ程度、幅（帯幅）は３０センチ程度とすることが望ましい。ただし、花弁状装飾体を形成した際に帯状生地にたっぷりとしたドレープ（襞）を持たせるか否か、「葉」をどの程度形成するかによって必要とされる長さは変化するために、必ずしも帯状生地の大きさはこれに限られるものではない。
【００１４】
一方、帯状生地の素材としては、自在にドレープを形成し得るよう可塑性に富みつつも、花弁状の形態を維持するために適度なコシを有する軽量なものが望ましく、雨濡れや空気中の湿度の影響を受けにくいものが好ましいため、ポリエステル、レーヨン、ナイロン、キュプラ（ベンベルグ）等の化学繊維を用いたオーガンジー生地あるいはジョーゼット生地等が好適であるが、上記の条件を満たすものであれば必ずしもこれらに限られるものではなく、より薄手で光線の透過性の高いシフォン生地、シルク様の光沢を有するサテン生地、経糸と緯糸の色を変えて見る角度により玉虫様の模様を生ずるシャンブレー生地等、様々な素材を利用し得る。また、帯状生地として表裏の色や柄を相違させたリバーシブル体を用いれば、花弁の展開形状をより強調することが可能であり、さらに、生地にラメ入りの繊維を織り込んだものを用い、光線の角度や着装者の身体の動きに応じて光沢が変化するようにすれば、より豪華で表情豊かな製品とすることができる。
【００１５】
また、帯状生地の辺縁部は、糸のほつれを防ぐだけでなく、生地自体にコシを与え、デザイン上のアクセントも付加する効果を発揮するよう、生地本体とは異なる色彩の糸によって「縁かがり」処理を施すことが望ましい。
【００１６】
なお、花弁状装飾体を形成する過程で帯状生地は円形状に折り畳まれてクセが付くために、完成した花弁状装飾体を展開した状態において花弁の部分には不規則なドレープが連続的に生じ、より一層変化のある外観を実現するのである。
【００１７】
請求項２に記載の考案は、前記帯状生地を複数枚重ね合わせて用いることを特徴とするものである。例えば、表面の色柄が異なる同形同大の２枚の帯状生地を重ね合わせて請求項１に記載の考案と同じ構造の花弁状装飾体を形成した場合、単に重ね合わせた帯状生地の表裏が異なるだけでなく、前述の花弁部分の操作により生地が絞り込まれて略円筒状に立ちあがる過程で２枚の生地それぞれにかかる張力に差異が生まれることで、生地の縁部に微妙なズレを生じ、異なる生地の色柄の違いにより縁取りが強調されて、花弁の厚みが増大したかのような視覚的効果を奏するのである。また、重ね合わせる一方の生地を光の非透過性の生地とし、もう一方を透過性の高いネット状の生地とすれば、全体の軽量化が図られるだけでなく、看者にもより軽やかなボリューム感を感じさせるものとなる。
【００１８】
請求項３に記載の考案は、前記帯状生地が表面又は／及び縁部に発光体を有することを特徴とする。発光体としては、例えば帯状生地に蛍光塗料を含有する染料で染色した繊維を用いたり、あるいは生地自体をかかる染料で着色しても良い。生地の縁部のみに蛍光塗料を用いた場合は、夜間でも花弁状装飾体の花弁の形が縁どられてぼんやりと発光し、印象的な視覚的効果を簡易かつ低コストな手段で発揮することができる。また、発光体として電気的に自発光する発光ダイオードや光ファイバー繊維等を用いることもできる。花弁状装飾体の適宜の部位に乾電池等の電源と発光制御回路、スイッチから成る本体ユニットを設置する一方、発光ダイオード素子あるいは光ファイバー繊維等の発光体を帯状生地に織り込み、あるいは花弁部分に適宜配置することにより、本体ユニットから給電と制御を受けた発光体を任意の色やパターンで発光させ、夜間や屋内で看者の意表をつく煌びやかな視覚的効果を発揮することができる。なお、かかる発光体として用いる部材については、蛍光塗料を含有する染料で染色した繊維体や発光ダイオード、光ファイバー繊維に限られるものではなく、装飾用発光体として現存あるいは今後利用可能となるあらゆる部材を用いることができる。
【００１９】
請求項４に記載の考案は、花弁状装飾体をきものの帯の着装時に腰部に形成される帯の結び目に固定するための固定部材を有することを特徴とする。かかる固定部材は花弁状装飾体裏側の重心点付近に設けた接合点と帯の結び目の上部とを容易に着脱可能に接合可能ものであれば良く、接合点に固着させない独立部品としての金属製あるいは樹脂製のクリップを用いても良く、また、接合点に予め固着させた紐状体あるいは反復的に接着剥離可能なベルトで帯の結び目に固定しても良い。
【考案の効果】
【００２０】
以上説明した通り、本考案に係る花弁状装飾体は、帯状生地１０と係止体１４、及び固定部材（図示せず）のみの少数の部材のみで構成されるものであって、簡単な製作工程で外観を花弁状に形成し、しかも、着装者が花弁を自然の花の花弁のように蕾から満開まで任意の状態に変化させることを可能としたものであるから、華やかで人目を引き、着装者のオリジナリティを生かせるデザインの自由度の高い装飾体を低コストで提供できるという効果を有する。また、本考案に係る花弁状装飾体に、適宜発光体を付加した場合は、夜間や屋内においてもさらに前記の「人目を引く」効果が強調され、ファッション上の魅力をさらに高めることが可能となる。
【考案を実施するための最良の形態】
【００２１】
以下、本考案に係る花弁状装飾体を浴衣帯に適用した好適な実施の形態について、添付図面及び参考写真を参照しながら詳細に説明する。
【００２２】
図１は、本考案に係る花弁状装飾体の主要な部材であり、完成時に花弁を形成する帯状生地１０を示す平面図であるが、全幅に対して全長が極めて長い左右対称形としているため、その右端部分のみを示し左端は省略している。端部の形状は略三角形に成形しているが、これは花弁状装飾体に形成された状態で右端が花弁の中心部となるためその「仕舞い」を容易とするためであり、また左端は一定の長さを余らせることにより花弁の「葉」を形成させた後、デザイン上の効果から意図的に外部に露出させて垂れさせることを考慮したからである。両端部ともに花弁の中心内部あるいは裏側に隠す場合には、必ずしもかかる形状に成形する必要はない。なお、帯状生地１０の辺縁部は、糸のほつれを防ぐだけでなく、生地自体にコシを与え、デザイン上のアクセントも付加する効果を発揮するよう、生地本体とは異なる色彩の糸によって「縁かがり」処理を施すものとする。
【００２３】
図２乃至図６は、本考案に係る花弁状装飾体を前記帯状生地１０で形成する過程を順次段階的に側面図により示したものである。本考案に係る花弁状装飾体は、完成時外観からは本考案の特徴をなす構造を把握しにくいため、かかる形成過程を示す図により、その構造を説明する。
【００２４】
図２は、帯状生地１０を螺旋状に畳み込む工程に先立ち、予め帯体の長軸に沿って図右手方向から見て時計回り方向に捻転させた状態を示したものである（第一段階）。
【００２５】
図３は、上記捻転後の帯状生地１０を軸線断面を中心として軸線右手方向から見て円形を成すように順次連続的に重ね合わせつつ螺旋状に畳み込む工程を示したものである（第二段階）。従って、軸線右手方向から見た場合、帯状生地１０の縁かがり部１１は前記円形の円周部分を構成しつつ螺旋状に重なり合う形となる。かかる畳み込み工程においては、作業者は前記円形の中心部分を片手で保持し、該中心部分を回転軸として帯状生地１０を回転させながら、縁かがり部１１を重ね合わせつつ軸線に対して垂直となる円盤形状に帯状生地１０をたくし込みながら畳み込んでゆくのである。この際、重なり合う帯状生地１０を円盤状に畳み込みつつ、もう一方の手で生地に圧力を加えるため、生地表面にも螺旋状の折り目がクセ付けされるが、この折り目は花弁状装飾体の形成後、花弁を展開した際に、螺旋状の花弁に複雑なドレープを形成し、花弁状装飾体全体の外観に立体的で豊な変化を与える効果を奏するものである。なお、帯状生地１０を螺旋状に畳み込む回数は、完成した花弁状装飾体が模すべき花の種類のイメージや使用する帯状生地１０の素材に応じて任意であるが、１５回転乃至２０回転程度が好適である。
【００２６】
図４は、前記の畳み込み工程が完了した状態の側面を示したものである。本実施例では、花弁状装飾体を形成した上で、さらにその背後に「葉」の部分を形成するために十分な長さの帯状生地１０を余らせた状態を示している。
【００２７】
図５は、畳み込み工程が完了した帯状生地１０を係止体１４により係止した状態の側断面を示したものである（第三段階）。帯状生地１０の軸線方向から見て螺旋状に重なり合う円形の中心点を軸線に沿って圧縮し、畳み込んだ生地を前記中心点で貫通する貫通孔を設け、該貫通孔に係止体１４を通した上でそれが抜けてしまわないように該係止体の両端部にストッパー１５を設ける。かかる係止体１４として最も簡易なものとしては十分な強度を有する糸を用いることができる。糸を用いた場合、単に金属針を用いて前記中心点に糸を貫通させ、通常の縫物の要領で糸の両端にいわゆる「丸結び」を設けることでストッパー１５とすることができる。なお、係止体１４の長さは、貫通させる生地中心部の生地の重なり厚み程度のものとする。
【００２８】
しかし、前述の通り、本考案に係る花弁状装飾体は、手動により花弁中心部を捻転させることにより花弁の形状を自在に縮小・展開を繰り返し可能とすることを特徴としていることから、係止体１４である糸も当然に反復的に捻転されて強度が低下し切断するおそれがあるため、係止体１４として用いる糸は捩じり負荷への耐久性の高いナイロン素材等を用いることが望ましい。
【００２９】
また、係止体１４として糸を用いるのではなく、たとえば衣類等の商品に値札等のタグを付けるために用いる塩化ビニル等の合成樹脂製のいわゆる「タグピン」を使用しても良い。かかる「タグピン」は通常５０本程度の単位で連接したものを「タグガン」と呼ばれるピストル型の取付機器で射出して連続的にタグを取り付けることができるものであり、一回の射出により係止体１４の貫通とその両端のストッパー１５を同時に形成することが可能であり、製造の効率性を高めることができる。この場合、係止体１４の長さに適応するタグピンを連装できる機材を選択するものとする。
【００３０】
また、係止体１４として金属製の「ハトメ」を用いることも可能である。「ハトメ」は一般的に微細な金属円筒あるいはその一端に打撃用の「頭」が形成された「ハトメリング」を「アイレット」と呼ばれるタガネを当てがってハンマーで打撃を加え、係止対象物を貫通させつつ円筒両端の変形をストッパーとして係止するものであり、様々な大きさ、形状、用途のものが存在する。また、「アイレット」やハンマーを用いず、ペンチ形の「ハトメパンチ」を用い、「ハトメリング」の両端に同時に圧力を加えて対象物を係止するものも一般的に普及している。かかる「ハトメ」を用いた場合、金属製の「ハトメリング」自体の耐久性が高いだけでなく、係止体１４が捩れることにより強度が低下することもなく、しかも、「ハトメリング」の外周が円筒形状であるため、貫通孔を中心とした帯状生地１０の回転も円滑となるから、花弁状装飾体の縮小・展開がさらに容易となるメリットを有する。
【００３１】
なお、係止体１４として利用可能な部材は上記のものに限られるものではなく、考案の技術的思想の範囲において同様の機能を有するものすべてを含むものとする。
【００３２】
以上説明した、図５の状態で重なり合う帯状生地１０の外縁の形状を適宜に操作して変化を付けてやることにより、花弁状装飾体はあたかも花弁が満開した状態の花の形状を呈することとなる。この際、前述の通り、帯状生地１０には畳み込みの際の折りクセによるドレープがついているから、自然の花弁の如き複雑で多彩な形状を表現できるのである。なお、本考案に係る花弁状装飾体の「花の満開」状態を試作品で表現したものを図１１の参考写真により示す。
【００３３】
図６は、係止体１４により係止した帯状生地１０を、その係止点を中心にさらに時計回り方向に捻転させていく状態の側面を示すものである。係止点付近の帯状生地１０は、回転しつつも係止体１４により軸線方向に移動することはできないが、帯状生地１０の転回により円周外縁部の帯状生地１０は引き絞られて軸線に沿って右方向に立ちあがることとなり、花弁状装飾体全体の形状は円盤状から軸線右方向に迫り出した略円筒形状へと連続的に変化することとなる。これを側面から見ると、帯状生地１０の縁かがり線が側面を螺旋状に周回する略円筒形となる。しかも、該略円筒形は係止点に近い位置ほど重なり合う帯状生地１０の枚数が多くなるため、必然的に係止点から円筒右端に向けて緩やかに窄まることとなり、花弁状装飾体としては、あたかも花弁が窄まった「蕾」の状態の花の形状を表現することができる。なお、本考案に係る花弁状装飾体の「花の蕾」状態を試作品で表現したものを図１２の参考写真
により示す。
【００３４】
ちなみに、「蕾」の状態の際は、捻転に対する帯状生地１０の反発力が生じて、全体形状は図５の「花の満開時」の状態に戻ろうとするが、前述の通り、帯状生地１０として軽量で極めて薄いものを使用するため、複雑な形で重なり合う生地間に生じる摩擦により、中間的な状態を含めて任意の「花の開き具合」において花弁状装飾体の全体形状は維持される。
【００３５】
なお、図７、図８及び図９は、それぞれ図４、図５及び図６の状態における本考案に係る花弁状装飾体を帯状生地１０の軸線右側から見た正面図である。
【００３６】
また、図１０は、本考案に係る花弁状装飾体を前述の花の「満開」と「蕾」の中間状態とした場合の外観を示す斜視図である。本図では、花弁状装飾体の表面に現れる帯状生地１０の縁かがり部１１は螺旋を描く同心円状としているが、生地の特性や色柄に応じて任意にその形状を変化させ、より自然の花弁の形状に近い演出することは自由に可能である。また、図１０では、花弁状装飾体の中心部に近い部分において帯状生地１０の捻転を意図的に強めることにより、その部分の帯状生地１０の「立ち上がり」を強調して「花芯」の形状を演出しているものである。
【００３７】
なお、花弁状装飾体の本体の背後から本体左右に展開している部分１７は、花弁状装飾体を形成した上で予め余らせておいた帯状生地１０を用いて「葉」を表現したものである。かかる「余り」の部分は、本体裏面の係止体１４の端部（図示せず）に固定された一端の生地であり、それを本体裏面において任意に緩やかに結び併せて前記係止体１４の端部を中心に本体の左右に向けて自在に張り出しと折り返しを繰り返すことにより容易に形成できる。その終端部は図１０のように本体裏面から垂らしておいても良いし、あるいは前記係止体１４の端部付近に畳み込み生地の間に差し込んで固定しても良い。
【００３８】
以上、本考案に係る花弁状装飾体を浴衣帯に適用した好適な実施形態について説明したが、本考案に係る花弁状装飾体は浴衣や簡易な街着だけでなく、若年層向けのカジュアルなきもの全般に適用することができる。また、本考案は、主にきもの帯の結び目に取り付けることで、帯の結び目自体を隠し、背中の広範囲を覆って着装者の後ろ姿に人目を引きつける華やかな演出を狙ったものであるが、必ずしも花弁状装飾体自体を主役とした使い方に限らず、本考案に基づき小振りの花弁状装飾体を帯の結び目の上部や側部に配することで、帯の結び目を見せた上でワンポイントのアクセサリ的なアイテムとして使用することも可能である。特に、きものの中でも振り袖のように帯の色柄がデザイン上のポイントとなるものの場合、かかる付加的なアクセサリとして用いることで、帯自体を引き立たせ、さらにいわゆる「アイ・キャッチ」的な効果を発揮させて他人との差別化を図る効果も期待できる。
【００３９】
さらに、本考案に係る花弁状装飾体は和装だけでなく洋装にも適用することができる。前述の通り、従来のいわゆる「コサージュ」は本考案と同様に自然の花を模したものが多いが、比較的硬い生地を使用して固定的な花の形状を作成したデザインが多く、どちらかといえばフォーマルな用途に適したものであった。しかし、本考案に係る花弁状装飾体は軽量かつ見た目も軽やかな印象を看者に与え、しかも比較的安価に製造できるものであるから、小振りのものをカジュアルウェアやパーティドレスなど幅広い洋服用のコサージュとして用いることができる。しかも、衣服の色柄やデザイン、場所柄のＴＰОや雰囲気、着装者の気分などに応じて自在に花の大きさや形を着装者自身が変更するといった「遊び心」のある演出が可能であるから、従来のコサージュ以上に適用範囲は広く、若年女性を中心に活用されやすいものといえる。
【００４０】
また、本考案に係る花弁状装飾体は簡単にきもの帯等に着脱可能であり、重量も極めて軽量化が可能であるだけでなく、形状を「蕾」の形にした場合には容積を最小化できるため、袋等に入れての持ち運びも容易であり、様々な場面で気軽に使用することができるという効果を有する。この点において、着装や取扱いに過大な手間を掛けたり神経を使ったりすることの負担を嫌うものの、人目を引きつけ目立ちたいという志向が強い一般的な若年女性にとって魅力を発揮し、受け入れられやすいものと期待できる。
【図面の簡単な説明】
【００４１】
【図１】本考案を適用した花弁状装飾体の実施形態における帯状生地の平面図である。
【図２】花弁状装飾体を形成する工程の第一段階として帯状生地を帯体の長軸に沿って時計回り方向に捻転させた状態を示す平面図である。
【図３】花弁状装飾体を形成する工程の第二段階として捻転後の帯状生地を軸線断面を中心として円形を成すように順次連続的に重ね合わせつつ螺旋状に畳み込む過程を示す平面図である。
【図４】畳み込み工程が完了した帯状生地の側面を示す平面図である。
【図５】花弁状装飾体を形成する工程の第三段階として畳み込んだ帯状生地を係止体により係止した状態を示す側断面図である。
【図６】係止体により係止した畳み込み済みの帯状生地をその係止点を中心にさらに時計回り方向に捻転させていく状態の側面を示す平面図である。
【図７】図４の状態の帯状生地を軸線前方側から見た正面図である。
【図８】図５の状態の帯状生地を軸線前方側から見た正面図である。
【図９】図６の状態の帯状生地を軸線前方側から見た正面図である。
【図１０】本考案を適用した実施形態の花弁状装飾体を「満開」と「蕾」の中間状態とした場合の外観を示す斜視図である。
【図１１】本考案を適用した実施形態の花弁状装飾体の試作品を「満開」状態にした場合を示す参考写真である。
【図１２】本考案を適用した実施形態の花弁状装飾体の試作品を「蕾」状態にした場合を示す参考写真である。
【符号の説明】
【００４２】
１０  帯状生地
１１  縁かがり部
１２  帯状生地のうち「葉」を形成するために余らせた部分
１３  帯状生地のうち花弁状装飾体を形成する部分
１４  係止体（本体）
１５  係止体（ストッパー）
１６  花弁状装飾体（花弁部分）
１７  花弁状装飾体（葉部分）
１８  帯状生地の端部
【図１】
0003159419.tif 000003
【図２】
0003159419.tif 000004
【図３】
0003159419.tif 000005
【図４】
0003159419.tif 000006
【図５】
0003159419.tif 000007
【図６】
0003159419.tif 000008
【図７】
0003159419.tif 000009
【図８】
0003159419.tif 000010
【図９】
0003159419.tif 000011
【図１０】
0003159419.tif 000012
【図１１】
0003159419.tif 000013
【図１２】
0003159419.tif 000014